(57)【要約】【課題】  墓用線香立てとして、線香を基端まで完全に燃焼可能であるとともに、ヤニなどの汚れが着きにくく、掃除が簡単なものを提供する。【解決手段】 下端の脚部１２の間に内外連通開口１３を有するステンレススチール製の筒形ケーシング１１の内部に、中央部にブラインドホール型の線香挿着孔１５を形成した、光触媒材コート型のステンレススチールウールの塊体１４を、上端にステンレススチール製の金網２０を載置するとともに筒形ケーシング１１の脚部１２及び内外連通開口１３のそれぞれと対向する脚部１８と内外連通開口１９を有するステンレススチール製の筒形フレーム１７からなる支枠１６上に支持して収容する。【選択図】      図１
2006161424.tif 000002
【特許請求の範囲】
【請求項１】
上下端を通して内外間を通気、通水可能な筒形ケーシング内に、上端開口の線香挿着孔を設けた光触媒材コート型金属ウールの塊体を、上下端を通して内外間を通気、通水可能な支枠上に支持して収容してなる墓用線香立て。
【発明の詳細な説明】
【技術分野】
【０００１】
この発明は、墓で用いる線香立ての改良に関する。
【背景技術】
【０００２】
墓用の線香立てについては、特に線香の燃え残りの解消や掃除の容易化の点から、空気孔付きの外筒内にコイル状のスペーサーを介して網筒を設置したものや、不燃性シート性の底板の上方に線香挿通用の網を張設した線香支持具を線香立て容器内に収容するもの、線香挿通用の上網板の下に線香支持用の下網板を設置し、さらにその下に灰受けを設置したものなど、多くの提案がなされている（例えば特許文献１、２、３参照）。
【０００３】
しかしながら既提案のものは、いずれも、線香の燃え残りの解消効果が十分とは言えないとともに、特にヤニなどの汚れの付着のために、掃除が厄介であるという問題がある。
【特許文献１】特開２００３−３５０５３号公報
【特許文献２】特開２００２−１１２８８０号公報
【特許文献３】特開２００２−８９０８３号公報
【発明の開示】
【発明が解決しようとする課題】
【０００４】
この発明は、上記のような既提案のものに認められる問題に鑑み、墓用線香立てとして、線香を完全に燃焼可能であるとともに、ヤニなどの汚れが着きにくく、掃除が簡単なものを提供することを課題としている。
【課題を解決するための手段】
【０００５】
この発明に係る墓用線香立ては、特許請求の範囲の請求項１に記載のように、上下端を通して内外間を通気、通水可能な筒形ケーシング内に、上端開口の線香挿着孔を設けた光触媒材コート（光触媒被覆）型金属ウールの塊体を、上下端を通して内外間を通気、通水可能な支枠上に支持して収容する構成からなる。
【０００６】
この発明の墓用線香立てにおいては、墓の線香立て部に設置して、着火した線香の少なくとも下部（一般には中間部と基部）を金属ウールの塊体の線香挿着孔に挿着して立てた際、燃焼の進行に伴って線香から金属ウールの塊体に伝達される燃焼熱が、金属ウールの塊体に保持されて、線香の線香挿着孔内をのびる部分を加熱（加温）して燃焼を助長するとともに、金属ウールの塊体、支枠及び筒状ケーシングを通した通気により線香挿着孔内に十分な燃焼用空気が供給される。この結果線香は基端まで完全に燃焼する。
【０００７】
また金属ウールの塊体にコーテイングされている光触媒材によって、金属ウールの塊体等に付着するヤニなどの汚染物質が分解されて、除去される。
【０００８】
さらに金属ウールの塊体の上端から流入する雨水の金属ウールの塊体から支枠、そして支枠の下端から筒状ケーシングの下端を通した外部への流出により、線香の燃焼によって発生する灰は、外側に流出する。
【０００９】
この発明の線香立てにおける光触媒材コート型の金属ウールとしては、一般には、酸化チタン、酸化スズ、酸化スズー酸化アンチモン、酸化亜鉛、酸化バナジウムなどの光触媒材の被膜をコーテイングしたスチールウールや、アルミ二ウムウール、銅ウール、鉄ウールなどの熱伝達性（熱伝導率）の高い金属のウールを用いることができるが、このうちスチールウールの一つであるステンレススチールウールは、高い耐食性による長寿命の点から、好適なものの一つである。
【００１０】
また支枠としては、上端に金網類、パンチングメタルプレート類、有孔陶板類、有孔耐熱ガラス板類などの有孔板状材を配設する脚部付きの筒形やその他の適宜の形状のフレーム類などで構成することができる。
【発明の効果】
【００１１】
特許請求の範囲の請求項１に記載のこの発明に係る墓用線香立てによれば、まず、金属ウールの塊体による線香の燃焼熱の保持と該保持熱による線香の線香挿着孔に挿着した部分の加熱（加温）及び線香挿着孔内の通気による燃焼用空気の供給によって、線香は完全に燃焼する。
【００１２】
また金属ウールの塊体にコーテイングの光触媒材による金属ウールの塊体等に付着するヤニなどの汚染物質の分解、除去により、汚染度が極めて低い。
【００１３】
さらに金属ウールの塊体の線香挿着孔部に流入する雨水の外部への流出に伴う灰の外部への流出により、灰を処理する必要がなく、前述の汚染度の低さと合わせて、掃除が簡単である。
【発明を実施するための最良の形態】
【００１４】
図面は、この発明に係る墓用線香立ての好適な実施形態を略示したもので、この形態は、下端の脚部１２の間に内外連通開口（通気兼通水開口）１３を有するステンレススチール製の筒形ケーシング１１の内部に、中央部にブラインドホール型の線香挿着孔１５を形成した、光触媒材コート型のステンレススチールウールの塊体１４を、上端にステンレススチール製の金網２０を載置するとともに筒形ケーシング１１の脚部１２及び内外連通開口１３のそれぞれと対向する脚部１８と内外連通開口（通気兼通水開口）１９を有するステンレススチール製の筒形フレーム１７からなる支枠１６上に支持して収納した構造からなっている。
【００１５】
この図示の形態においては、ステンレススチールウールの塊体１４の線香挿着孔１５に挿入して立てた線香２１の燃焼が、線香挿着孔１５の直上部や線香挿着孔１５をのびる部分まで進むと、線香２１の燃焼熱がステンレススチールウールの塊体１４に伝達されて、長時間保持され、線香２１の中間部や基部を燃焼し易い状態に加温する。
【００１６】
他方ステンレススチールウールの塊体１４及びその線香挿着孔１５、支枠１６の金網２０、筒形フレーム１７とその内外連通開口１９並びに筒形ケーシング１１の内外連通開口１２を通した空気の流通により、燃焼中の線香２１の中間部と基部には十分な燃焼用空気が供給される。このような加温と通気の結果、線香２１は基端まで完全に燃焼する。
【００１７】
またステンレススチールウールにコーテイングしてある光触媒材によって、ステンレススチールウールの塊体１４に付着するヤニ等の汚れは分解されて消失する一方、線香２１が燃焼した後の灰は、ステンレススチールウールの線香挿着孔１５に上方から流入する雨水とともに、ステンレススチールウールの塊体１４から支枠１６の金網２０及び筒形フレーム１７とその内外連通開口１９、筒形ケーシング１１の内外連通開口１２を通して、外部へ流出する。
【００１８】
この発明の墓用線香立ては、このほか種々の形態で実施することができるもので、上記の形態に限定されるものではない。
【実施例】
【００１９】
図示の形態と実質上同等の構造の墓用線香立てを、光触媒材コート型のステンレススチールウールの塊体として、（株）光触媒研究所製の光触媒ステンレスウール（フェライト系ステンレススチールＳＵＳ４３０から削り出した２０〜１２０μｍの極細繊維をウール状に加工し、その全表面に光触媒ゾル（二酸化チタンゾル）を焼付けコーティングしたもの）の塊体を用いて製作し、雨及び強風の日を除いて、一日数本の線香を５０日間立て続ける形で試用したところ、線香の燃え残り、ヤニなどの汚れの付着及び灰の残留は認められなかった。
【図面の簡単な説明】
【００２０】
【図１】この発明に係る墓用線香立ての好適な実施形態の略正断面図である。
【符号の説明】
【００２１】
１１  筒形ケーシング
１２  内外連通開口（通気兼通水開口）
１３  脚部
１４  ステンレススチールウールの塊体
１５  線香挿着孔
１６  支枠
１７  筒形フレーム
１８  脚部
１９  内外連通開口（通気兼通水開口）
２０  金網
２１  線香
【図１】
2006161424.tif 000003
【手続補正書】
【提出日】平成17年1月18日(2005.1.18)
【手続補正１】
【補正対象書類名】明細書
【補正対象項目名】００１６
【補正方法】変更
【補正の内容】
【００１６】
他方ステンレススチールウールの塊体１４及びその線香挿着孔１５、支枠１６の金網２０、筒形フレーム１７とその内外連通開口１９並びに筒形ケーシング１１の内外連通開口１３を通した空気の流通により、燃焼中の線香２１の中間部と基部には十分な燃焼用空気が供給される。このような加温と通気の結果、線香２１は基端まで完全に燃焼する。
【手続補正２】
【補正対象書類名】明細書
【補正対象項目名】００１７
【補正方法】変更
【補正の内容】
【００１７】
またステンレススチールウールにコーテイングしてある光触媒材によって、ステンレススチールウールの塊体１４に付着するヤニ等の汚れは分解されて消失する一方、線香２１が燃焼した後の灰は、ステンレススチールウールの塊体１４の線香挿着孔１５に上方から流入する雨水とともに、ステンレススチールウールの塊体１４から支枠１６の金網２０及び筒形フレーム１７とその内外連通開口１９、筒形ケーシング１１の内外連通開口１３を通して、外部へ流出する。
【手続補正３】
【補正対象書類名】明細書
【補正対象項目名】００２１
【補正方法】変更
【補正の内容】
【００２１】
１１  筒形ケーシング
１２  脚部
１３  内外連通開口（通気兼通水開口）
１４  ステンレススチールウールの塊体
１５  線香挿着孔
１６  支枠
１７  筒形フレーム
１８  脚部
１９  内外連通開口（通気兼通水開口）
２０  金網
２１  線香
【手続補正４】
【補正対象書類名】図面
【補正対象項目名】図１
【補正方法】変更
【補正の内容】
【図１】
2006161424.tif 000004